(57)【要約】【課題】  アクティブ駆動及びパッシブ駆動を併用する表示を簡易な構成により実現する。【解決手段】  一基板上の画像表示領域に設けられた、アクティブ素子を含んでなる第１画素部及びアクティブ素子を含まない第２画素部と、第１画素部をアクティブ駆動する第１駆動手段と、第２画素部をパッシブ駆動する第２駆動手段とを備える。【選択図】  図１
2005134755.tif 000002
【特許請求の範囲】
【請求項１】
一基板上の画像表示領域に設けられた、アクティブ素子を含んでなる第１画素部及び前記アクティブ素子を含まない第２画素部と、
前記第１画素部をアクティブ駆動する第１駆動手段と、
前記第２画素部をパッシブ駆動する第２駆動手段と
を備えたこと
を特徴とする電気光学装置。
【請求項２】
前記基板上には、前記第１画素部及び前記第２画素部と対応する配線が設けられており、
前記第１画素部には、対応する前記配線と前記アクティブ素子とを電気的に接続する接続電極が設けられていること
を特徴とする請求項１に記載の電気光学装置。
【請求項３】
前記第１画素部及び前記第２画素部は表示素子として発光素子を含んでなることを特徴とする請求項１又は２に記載の電気光学装置。
【請求項４】
前記画像表示領域は、前記第１画素部及び前記第２画素部が、マトリクス配置される領域及びセグメント配置される領域を含んでなること
を特徴とする請求項１から３のいずれか一項に記載の電気光学装置。
【請求項５】
前記第１画素部は前記マトリクス配置される領域に設けられると共に、前記第２画素部は前記セグメント配置される領域に設けられること
を特徴とする請求項４に記載の電気光学装置。
【請求項６】
前記第１画素部及び前記第２画素部はマトリクス配置されていること
を特徴とする請求項１から３のいずれか一項に記載の電気光学装置。
【請求項７】
前記第１駆動手段から出力される第１駆動信号、及び前記第２駆動手段から出力される第２駆動信号に応じて、
前記画像表示領域において、車両用インストルメントパネルの画像表示を行うこと
を特徴とする請求項１から６のいずれか一項に記載の電気光学装置。
【請求項８】
請求項１から７のいずれか一項に記載の電気光学装置を具備してなることを特徴とする電子機器。
【請求項９】
複数の配線が形成されると共に、該複数の配線により規定される第１形成領域及び第２形成領域のうち、前記第１形成領域に前記配線に接続される接続電極が形成された配線基板に対して、他の基板上に形成されたアクティブ素子を前記接続電極に対応させて部分的に転写する工程と、
前記第１形成領域及び前記第２形成領域に対応させて、前記複数の配線に接続される中継配線を導電性材料を用いて形成する工程と、
前記中継配線に接続される表示素子を形成する工程とを含むこと
を特徴とする電気光学装置の製造方法。
【請求項１０】
前記アクティブ素子を転写する工程後、前記表示素子を形成する工程前に、
前記アクティブ素子の上部に層間絶縁膜を形成する工程と、
該層間絶縁膜に対して平坦化処理を行う工程と
を含むことを特徴とする請求項９に記載の電気光学装置の製造方法。
【請求項１１】
前記表示素子を形成する工程では、該表示素子として発光素子が形成されること
を特徴とする請求項９又は１０に記載の電気光学装置の製造方法。
【発明の詳細な説明】
【技術分野】
【０００１】
本発明は、例えば有機ＥＬ（Electro-Luminescence）パネル等の電気光学装置及びその製造方法、並びにそのような電気光学装置を備えた各種電子機器の技術分野に関する。
【背景技術】
【０００２】
この種の電気光学装置の駆動方法として、アクティブ方式及びパッシブ方式のいずれかが採用される(例えば、特許文献１参照)。アクティブ方式の駆動方法を採用する場合と、パッシブ方式の駆動方法を採用する場合とでは、電気光学装置の構成が異なる。よって、アクティブ方式の駆動方法及びパッシブ方式の駆動方法のいずれかを採用するにあたり、その都度、採用する駆動方法に応じた電気光学装置を用意する必要がある。
【０００３】
例えば、車載用のナビゲーション装置には、アクティブマトリクス駆動により画像表示を行う電気光学装置が用いられる。また、例えば、車のインストルメントパネルにおけるメータを、パッシブ駆動により画像表示を行う電気光学装置を用いて構成することが可能である。ここで、仮に、ナビゲーション用の画像表示及びメータ用の画像表示を同一の電気光学装置を用いて行うとすれば、一つの電気光学装置の中に、アクティブ駆動を行うための電気光学装置と、パッシブ駆動を行うための電気光学装置とを組み込むこととなる。
【０００４】
【特許文献１】特開平１０−２８８９８０号公報
【発明の開示】
【発明が解決しようとする課題】
【０００５】
しかしながら、上述したように、駆動方法の異なる電気光学装置が多数組み込むまれた電気光学装置によれば、その構成は複雑となり、且つ該電気光学装置の製造工程数も膨大となる。
【０００６】
他方、例えば、パッシブ方式の駆動方法を採用する電気光学装置を組み込まずに、本来、パッシブ駆動により表示される画像も、アクティブ駆動により表示することが考えられる。しかしながら、パッシブ方式の駆動方法を採用すれば済む電気光学装置の一部をもアクティブ方式の駆動方法を採用する電気光学装置と同様の構成としてしまうのでは、該電気光学装置の製造が非効率となってしまう事態や歩留まりの低下といった事態を避けられない。
【０００７】
本発明は、上記問題点に鑑み成されたものであり、アクティブ駆動及びパッシブ駆動を併用する表示を簡易な構成により実現する、有機ＥＬパネル等の電気光学装置及びその製造方法、並びにそのような電気光学装置を備えた各種電子機器を提供することを課題とする。
【課題を解決するための手段】
【０００８】
本発明の電気光学装置は上記課題を解決するために、一基板上の画像表示領域に設けられた、アクティブ素子を含んでなる第１画素部及び前記アクティブ素子を含まない第２画素部と、前記第１画素部をアクティブ駆動する第１駆動手段と、前記第２画素部をパッシブ駆動する第２駆動手段とを備える。
【０００９】
本発明の電気光学装置において、基板上の画像表示領域には、一又は複数の第１画素部が形成された第１表示領域、及び一又は複数の第２画素部が形成された第２表示領域が含まれる。即ち、第１画素部及び第２画素部は、共通の基板上に形成される。
【００１０】
第１駆動手段及び第２駆動手段は夫々、例えば、別個の基板上に形成された集積回路によって構成される。そして、第１駆動手段及び第２駆動手段を夫々構成する集積回路は、例えば前記基板上の画像表示領域の周辺領域に、外付け又は後付けすることによって設けられる。尚、第１駆動手段及び第２駆動手段のうち少なくとも一方は、第１画素部及び第２画素部と同一基板上に作り込まれてもよい。
【００１１】
本発明の電気光学装置では、駆動時、第１駆動手段より出力される第１駆動信号に応じて、第１画素部はアクティブ素子によってアクティブ駆動される。尚、アクティブ素子は、例えば薄膜トランジスタ（Thin Film Transistor；以下適宜、“ＴＦＴ”と称する）や薄膜ダイオード（Thin Film Diode；以下適宜、“ＴＦＤ”と称する）等の半導体素子を用いて構成される。他方、第２駆動手段より出力される第２駆動信号に応じて、第２画素部はパッシブ駆動される。
【００１２】
よって、第１表示領域はアクティブ駆動によって画像表示が行われ、第２表示領域はパッシブ駆動によって画像表示が行われる。従って、本発明の電気光学装置によれば、一基板上の画像表示領域を、アクティブ駆動により画像表示が行われる第１表示領域及びパッシブ駆動により画像表示が行われる第２表示領域を含む構成とすることができる。従って、アクティブ駆動が行われる電気光学装置及びパッシブ駆動が行われる電気光学装置を夫々個別に組みこむ場合と比較して、本発明の電気光学装置を簡易な構成とすることができる。また、当該電気光学装置の製造工程数も膨大とならないため、効率的に該電気光学装置を製造すると共に歩留まりを向上させることが可能となる。
【００１３】
また、車のナビゲーション用の表示画像のように動画を含む多様な画像表示を行う領域を第１表示領域に割り当てると共に、車のメータ用の表示や時刻の表示などのように比較的単純な表示を行う領域を第２表示領域に割り当てることができる。このような単純な表示は、該表示に対応させてセグメント配置された複数の第２画像部によって行うことが可能である。
【００１４】
或いは、第１表示領域及び第２表示領域の両方において、車のメータ用の表示や時刻の表示等の比較的単純な表示を行ってもよいし、動画を含む多様な画像表示を行ってもよい。
【００１５】
このように本発明の電気光学装置によれば、画像表示領域における表示の種類に応じて、第１表示領域及び第２表示領域をデザインすることが可能となる。従って、第１表示領域及び第２表示領域のうち、相対的に表示に要する消費電流が大きくなる一方を必要最低限の大きさに留めて、当該電気光学装置における消費電流を最適化することができる。
【００１６】
本発明の電気光学装置の一態様では、前記基板上には、前記第１画素部及び前記第２画素部と対応する配線が設けられており、前記第１画素部には、対応する前記配線と前記アクティブ素子とを電気的に接続する接続電極が設けられている。
【００１７】
この態様によれば、その動作時には、第１画素部には該第１画素部に対応する配線を介して第１駆動信号が供給される。また、第２画素部には該第２画素部に対応する配線を介して第２駆動信号が供給される。
【００１８】
第１画素部において、対応する配線とアクティブ素子は接続電極を介して接続されている。よって、本発明の電気光学装置の製造では、以下に説明するように転写によりアクティブ素子を形成することが可能となる。このような転写工程を採用すれば、工程数が多いアクティブ素子の形成を該転写工程のみで行うことができるため、より効率的に電気光学装置を製造することが可能となる。
【００１９】
本発明の電気光学装置を製造するにあたり、予め配線が形成された配線基板上に接続電極を形成しておく。そして、配線基板に対して、接続電極に対応させてアクティブ素子を転写することによって、アクティブ素子が形成される。
【００２０】
本発明の電気光学装置の他の態様では、前記第１画素部及び前記第２画素部は表示素子として発光素子を含んでなる。
【００２１】
この態様によれば、発光素子は例えば有機ＥＬ素子やＬＥＤ（Light Emitting Diode）を用いて構成される。有機ＥＬ素子を用いて発光素子を構成すれば、インクジェット方式等の印刷方式を採用することによって、該発光素子を形成することが可能となる。従って、より効率的に電気光学装置を製造することが可能となる。
【００２２】
本発明の電気光学装置の他の態様では、前記画像表示領域は、前記第１画素部及び前記第２画素部が、マトリクス配置される領域及びセグメント配置される領域を含んでなる。
【００２３】
この態様によれば、画像表示領域には、第１画素部及び第２画素部がマトリクス配置及びセグメント配置される。画像表示領域において、動画を含む多様な画像表示を行う領域をマトリクス配置領域とし、車のメータ用の表示や時刻の表示などのように比較的単純な表示を行う領域をセグメント配置領域とする。
【００２４】
第１表示領域はマトリクス配置領域とするのが好ましい。また、第２表示領域の全域をセグメント配置領域としてもよいし、該第２表示領域の一部をマトリクス配置領域としてもよい。
【００２５】
この態様によれば、このように第１画素部及び第２画素部を、マトリクス配置若しくはセグメント配置することによって、画像表示領域における表示の種類に応じて、第１表示領域及び第２表示領域をデザインすることが可能となる。また、このように第１表示領域及び第２表示領域をデザインすることにより、当該電気光学装置における消費電流を最適化することができる。
【００２６】
この、画像表示領域にマトリクス配置領域及びセグメント配置領域が含まれる態様では、前記第１画素部は前記マトリクス配置される領域に設けられると共に、前記第２画素部は前記セグメント配置される領域に設けられるように構成してもよい。
【００２７】
このように構成すれば、動画を含む多様な画像表示を行う領域を第１表示領域に割り当てると共に、車のメータ用の表示や時刻の表示などのように比較的単純な表示を行う領域を第２表示領域に割り当てることができる。或いは、第１表示領域及び第２表示領域の両方において、車のメータ用の表示や時刻の表示等の比較的単純な表示を行うことも可能である。
【００２８】
本発明の電気光学装置の他の態様では、前記第１画素部及び前記第２画素部はマトリクス配置されている。
【００２９】
この態様によれば、第１表示領域及び第２表示領域の両方において多様な画像表示を行うことが可能となる。例えば、第１表示領域及び第２表示領域の両方において、車のメータ用の表示や時刻の表示等の比較的単純な表示を行こともできるし、動画を含む多様な画像表示を行うことも可能である。
【００３０】
本発明の電気光学装置の他の態様では、前記第１駆動手段から出力される第１駆動信号、及び前記第２駆動手段から出力される第２駆動信号に応じて、前記画像表示領域において、車両用インストルメントパネルの画像表示を行う。
【００３１】
この態様によれば、車や航空機、或いは列車等の多様なデザインのインストルメントパネル用の表示を行うことが可能となる。例えば、車のナビゲーション用の画像表示とメータ用の表示とを画像表示領域において行うことができる。
【００３２】
本発明の電子機器は上記課題を解決するために、上述した本発明の電気光学装置（但し、その各種態様も含む）を具備してなる。
【００３３】
本発明の電子機器は、上述した本発明の電気光学装置を具備してなるので、アクティブ駆動及びパッシブ駆動を併用する表示を簡易な構成により実現する、投射型表示装置、テレビ、携帯電話、電子手帳、ワードプロセッサ、ビューファインダ型又はモニタ直視型のビデオテープレコーダ、ワークステーション、テレビ電話、ＰＯＳ端末、タッチパネルなどの各種電子機器を実現できる。また、本発明の電子機器として、例えば電子ペーパなどの電気泳動装置、電子放出装置（Field Emission Display及びConduction Electron-Emitter Display）等を実現することも可能である。
【００３４】
本発明の電気光学装置の製造方法は上記課題を解決するために、複数の配線が形成されると共に、該複数の配線により規定される第１形成領域及び第２形成領域のうち、前記第１形成領域に前記配線に接続される接続電極が形成された配線基板に対して、他の基板上に形成されたアクティブ素子を前記接続電極に対応させて部分的に転写する工程と、前記第１形成領域及び前記第２形成領域に対応させて、前記複数の配線に接続される中継配線を導電性材料を用いて形成する工程と、前記中継配線に接続される表示素子を形成する工程とを含む。
【００３５】
本発明の電気光学装置の製造方法は、配線基板上に、第１形成領域と対応して第１画素部が形成され、第２形成領域に対応して第２画素部が形成される。第１形成領域には、例えば接続電極と対応する配線とを接続する電極としてバンプが形成される。そして、接続電極はバンプを介して配線と接続されている。
【００３６】
ここに、前記他の基板として例えばガラス基板には、該基板の一表面上に例えばアモルファスシリコン等からなる剥離層が形成され、該剥離層上に複数のアクティブ素子が形成されている。
【００３７】
そして、配線基板の接続電極が形成された面及びガラス基板の複数のアクティブ素子が形成された面とをアライメントして対向させ、ガラス基板の複数のアクティブ素子が形成された側と反対側の面よりレーザを部分的に照射することによって、接続電極に対してアクティブ素子が転写される。即ち、配線基板の上面全体に対してでは無く、第１形成領域に対して部分的に、ガラス基板上に形成されたアクティブ素子の一部が転写される。
【００３８】
その後、中継配線を例えば印刷方式によって形成した後、該中継配線に接続される表示素子を形成する。該表示素子の形成は、該表示素子を形成するための各種材料を、配線基板上に順次積層し、パターニングすることによって行ってもよいし、該表示素子を別基板上に形成しておいて、該基板と配線基板とをアライメントして貼り合わせることによって行ってもよい。
【００３９】
従って、本発明の電気光学装置の製造方法によれば、共通の配線基板上に、アクティブ駆動される第１画素部、及びパッシブ駆動される第２画素部を形成することができる。よって、アクティブ駆動が行われる電気光学装置及びパッシブ駆動が行われる電気光学装置を夫々個別に組みこむ場合と比較して、電気光学装置を簡易な構成とすることができ、当該電気光学装置の製造工程数も膨大とならないため、効率的に該電気光学装置を製造することが可能となり歩留まりを向上させることも可能となる。
【００４０】
また、工程数の多いアクティブ素子の形成を、電気光学装置の製造工程とは別に行うことが可能となる。アクティブ素子がガラス基板上の一表面の全体に形成されているか、或いは部分的に形成されているかにこだわらず、配線基板に対してアクティブ素子を転写することが可能である。また、ガラス基板を、配線基板の大きさに規定されない大きさとすることが可能である。よって、一枚のガラス基板上にアクティブ素子を形成しておけば、該ガラス基板よりアクティブ素子を部分的に転写させることによって、複数個の電気光学装置を製造することが可能となる。従って、このような転写工程を採用すれば、より効率的に電気光学装置を製造することが可能となる。
【００４１】
尚、ガラス基板上には、アクティブ素子及び該アクティブ素子を含む単位回路を複数或いは多数形成しておき、該単位回路毎に部分的に転写が行われるようにしてもよい。
【００４２】
本発明の電気光学装置の一態様では、前記アクティブ素子を転写する工程後、前記表示素子を形成する工程前に、前記アクティブ素子の上部に層間絶縁膜を形成する工程と、該層間絶縁膜に対して平坦化処理を行う工程とを含む。
【００４３】
この態様によれば、転写することによって形成されたアクティブ素子の形状に応じて層間絶縁膜表面に形成される凸凹を平坦化することが可能となる。そして、表示素子の形成を、平坦化された層間絶縁膜上に、該表示素子を形成するための各種材料を順次積層して形成することが可能となる。
【００４４】
本発明の電気光学装置の製造方法の他の態様では、前記表示素子を形成する工程では、該表示素子として発光素子が形成される。
【００４５】
この態様では、有機ＥＬ素子或いはＬＥＤを用いて発光素子を構成すれば、インクジェット方式等の印刷方式を採用することによって、該発光素子を形成することが可能となる。従って、より効率的に電気光学装置を製造することが可能となる。
【００４６】
本発明のこのような作用及び他の利得は次に説明する実施の形態から明らかにされる。
【発明を実施するための最良の形態】
【００４７】
以下、本発明の実施形態を図面に基づいて説明する。
【００４８】
＜１：電気光学装置の構成＞
先ず、図１を参照して電気光学装置の概略構成について説明する。ここに、図１は、本実施形態に係る電気光学装置の全体構成を示すブロック図である。
【００４９】
図１に示すように、電気光学装置１は、主要部として、有機ＥＬパネル１００、第１走査線駆動回路１３０ａ及び第１データ線駆動回路１５０ａ、並びに第２走査線駆動回路１３０ｂ及び第２データ線駆動回路１５０ｂを備える。本実施形態では、第１走査線駆動回路１３０ａ及び第１データ線駆動回路１５０ａによって本発明に係る「第１駆動手段」の一例が構成され、第２走査線駆動回路１３０ｂ及び第２データ線駆動回路１５０ｂによって本発明に係る「第２駆動手段」の一例が構成される。
【００５０】
有機ＥＬパネル１００における画像表示領域１１０には、第１表示領域１１１ａ及び第２表示領域１１１ｂが含まれる。第１表示領域１１１ａには縦横に配線された第１データ線１１４ａ及び第１走査線１１２ａが設けられており、それらの交点に対応する各第１画素部７０ａはマトリクス状に配列される。更に、第１表示領域１１１ａには各第１データ線１１４ａに対して配列された第１画素部７０ａに対応する電流供給線１１７が設けられている。
【００５１】
また、第２表示領域１１１ｂも、縦横に配線された第２データ線１１４ｂ及び第２走査線１１２ｂの交点に対応する各第２画素部７０ｂはマトリクス状に配列される。
【００５２】
次に、図２及び図３を参照して、第１画素部７０ａ及び第２画素部７０ｂの構成について説明する。図２（ａ）は、第１画素部７０ａの回路構成を示す回路図であって、図２（ｂ）は第２画素部７０ｂの回路構成を示す回路図である。また、図３は、有機ＥＬパネル１００における第１表示領域１１１ａ及び第２表示領域１１１ｂの境界付近を含む場所での断面の構成を示す断面図である。
【００５３】
図２（ａ）において、第１画素部７０ａには、本発明に係る「アクティブ素子」としてＴＦＴを用いて構成されるスイッチング用トランジスタ７６及び駆動用トランジスタ７４、並びに保持容量７８、及び本発明に係る「表示素子」として有機ＥＬ素子７２が設けられている。
【００５４】
スイッチング用トランジスタ７６のゲート電極には第１走査線１１２ａが電気的に接続されており、スイッチング用トランジスタ７６のソース電極には第１データ線１１４ａが電気的に接続され、スイッチング用トランジスタ７６のドレイン電極には駆動用トランジスタ７４のゲート電極が電気的に接続されている。また、駆動用トランジスタ７４のソース電極には、電流供給線１１７が電気的に接続されており、駆動用トランジスタ７４のドレイン電極には有機ＥＬ素子７２が電気的に接続されている。
【００５５】
図２（ｂ）に示す第２画素部７０ｂにおいて、第２走査線１１２ｂ及び第２データ線１１４ｂに、有機ＥＬ素子７２が電気的に接続される。第２画素部７０ｂにはアクティブ素子は設けられない。
【００５６】
本実施形態では、複数の第１画素部７０ａ及び複数の第２画素部７０ｂは、共通の配線基板２００上に形成される。図３には、第１表示領域１１１ａにおける一つの第１画素部７０ａ及び第２表示領域１１１ｂにおける一つの第２画素部７０ｂについて、その形成領域を点線で囲って示してある。配線基板２００は例えばガラス基板を用いて構成され、該配線基板２００上にはアクリル樹脂等を用いて構成される絶縁層２０２が積層される。第１表示領域１１１ａにおいて、絶縁層２０２上には夫々例えばアルミニウム（Ａｌ）を含む導電膜として複数の第１配線２０４ａが形成される。
【００５７】
複数の第１配線２０４ａには、図１に示す複数の第１走査線１１２ａ及び複数の第１データ線１１４ａが含まれる。そして、複数の接続電極２０７が複数の第１走査線１１２ａ及び複数の第１データ線１１４ａの交点に対応させて設けられている。各接続電極２０７は、好ましくは、対応する第１配線２０４ａに接続され且つ例えば無電解のニッケル（Ｎｉ）及び金（Ａｕ）を含む金属材料をメッキして形成されたバンプ２０３に塗布された導電ペーストとして構成される。
【００５８】
複数の接続電極２０７には複数の単位回路２７５が形成されている。各単位回路２７５には夫々、「アクティブ素子」としてスイッチング用トランジスタ７６及び駆動用トランジスタ７４、並びに保持容量７８が含まれる。
【００５９】
また、第２表示領域１１１ｂには、例えば複数の第１配線２０４ａと同様の導電膜として、絶縁層２０２上に複数の第２配線２０４ｂが形成される。複数の第２配線２０４ｂには、図１に示す複数の第２走査線１１２ｂ及び複数の第２データ線１１４ｂが含まれる。
【００６０】
そして、複数の第１配線２０４ａ及び複数の単位回路２７５、並びに複数の第２配線２０４ｂ上に、第１表示領域１１１ａから第２表示領域１１１ｂに渡って例えばアクリル樹脂を用いて構成される層間絶縁膜２０６が積層されている。層間絶縁膜２０６には、該層間絶縁膜２０６を配線基板２００の法線方向に貫通する複数の中継配線２０５が例えば銀（Ａｇ）を含む導電性材料を用いて形成されている。複数の中継配線２０５は、その一端側が複数の第１配線２０４ａ並びに複数の第２配線２０４ｂに接続される。
【００６１】
層間絶縁膜２０６上には、好適な材料としてシリコン酸化膜等を用いて構成される保護膜２１１及び好適な材料としてアクリル樹脂を用いて構成されるバンク２１０によって、複数の第１画素部７０ａ及び複数の第２画素部７０ｂの形成領域が規定される。該規定された複数の領域は、第１表示領域１１１ａにおいて、複数の第１配線２０４ａによって規定される複数の第１形成領域、及び第２表示領域１１１ｂにおいて、複数の第２配線２０４ｂによって規定される複数の第２形成領域と対応する。
【００６２】
そして、保護膜２１１及びバンク２１０によって規定される複数の領域に、複数の有機ＥＬ素子７２が形成される。より具体的には、有機ＥＬ素子７２は、例えばアルミニウム（Ａｌ）を含む材料を用いて構成される陽極２０、及び好ましくはＩＴＯ（Indium Tin Oxide）膜として形成される陰極２３、並びに陽極２０と陰極２３との間に挟持された有機ＥＬ層として発光層２１及び正孔注入層２２を含む。複数の有機ＥＬ素子７２における複数の陽極２０は、複数の中継配線２０５の他端側と接続される。更に、複数の有機ＥＬ素子７２は、透明封止膜２１５によって封止される。尚、有機ＥＬ素子における有機ＥＬ層の構成は、図３に示すような発光層２１及び正孔注入層２２を含む２層構造に限られず、１層としてもよいし３層以上の多層構造とすることも可能である。このように構成すれば、発光効率を向上させることができる。
【００６３】
図１に戻り、第１走査線駆動回路１３０ａ及び第１データ線駆動回路１５０ａ、並びに第２走査線駆動回路１３０ｂ及び第２データ線駆動回路１５０ｂは、別個に又は一緒に、配線基板２００とは別の基板に作り込まれて、配線基板２００上の画像表示領域１１０の周辺領域に外付け又は後付けされることによって設けられる。或いは、第１走査線駆動回路１３０ａ及び第１データ線駆動回路１５０ａ、並びに第２走査線駆動回路１３０ｂ及び第２データ線駆動回路１５０ｂは、少なくとも部分的に配線基板２００の周辺領域に作り込まれてもよい。
【００６４】
第１走査線駆動回路１３０ａは、第１表示領域１１１ａに配線された第１走査線１１２ａを順次アクティブにする第１走査信号を「第１駆動信号」として、該第１走査線１１２ａに順次供給する。また、第１データ線駆動回路１５０ａは、第１表示領域１１１ａに配線された第１データ線１１４ａに、「第１駆動信号」として第１画像信号を供給する。
【００６５】
また、第２表示領域１１１ｂに配線された第２走査線１１２ｂには、第２走査線駆動回路１３０ｂより「第２駆動信号」として第２走査信号が順次供給される。また、第２表示領域１１１ｂに配線された第２データ線１１４ｂには、第２データ線駆動回路１５０ｂより「第２駆動信号」として第２画像信号が供給される。
【００６６】
尚、第１走査線駆動回路１３０ａの動作と、第１データ線駆動回路１５０ａの動作とは、第１同期信号１６０ａによって相互に同期が図られる。また、第２走査線駆動回路１３０ｂの動作と、第２データ線駆動回路１５０ｂの動作とは、第２同期信号１６０ｂによって相互に同期が図られる。更に、第１走査線駆動回路１３０ａ及び第１データ線駆動回路１５０ａと、第２走査線駆動回路１３０ｂ及び第２データ線駆動回路１５０ｂとの間で互いに同期を図るための信号が、夫々の回路に供給されてもよい。
【００６７】
本実施形態では、第１表示領域１１１ａにおいて、各第１画素部７０ａは、第１走査信号及び第１画像信号に応じて、後述するようにアクティブ駆動される。また、第２表示領域１１１ｂにおいて、各第２画素部７０ｂは、第２走査信号及び第２画像信号に応じて、後述するようにパッシブ駆動される。
【００６８】
よって、第１表示領域１１１ａはアクティブ駆動によって画像表示が行われ、第２表示領域１１１ｂはパッシブ駆動によって画像表示が行われる。従って、電気光学装置１では、配線基板２００上の画像表示領域１１０を、アクティブ駆動により画像表示が行われる第１表示領域１１１ａ及びパッシブ駆動により画像表示が行われる第２表示領域１１１ｂを含む構成とすることができる。従って、アクティブ駆動が行われる電気光学装置及びパッシブ駆動が行われる電気光学装置を夫々個別に組みこむ場合と比較して、電気光学装置１を簡易な構成とすることができる。
【００６９】
＜２：電気光学装置の製造方法＞
次に、上述した電気光学装置１の製造プロセスについて、図４から図１１を参照して説明する。ここに、図４は、電気光学装置１の製造プロセスの開始における配線基板２００の図３に対応する断面の構成を示す図である。また、図５は、単位回路２７５の転写に用いられる他の基板の構成を示す断面図である。更に、図６から図１０は、製造プロセスの各工程における図３に対応する断面の構成を、順を追って示す工程図である。加えて、図１１は、有機ＥＬ素子７２の形成について説明するための断面図である。
【００７０】
図４において、電気光学装置１を製造するに当たり、予め、配線基板２００に、絶縁層２０２、複数の第１配線２０４ａ及び複数の第２配線２０４ｂを形成しておく。この状態では、配線基板２００上の第１表示領域１１１ａには、複数の第１配線２０４ａによって複数の第１形成領域が規定されると共に、各第１形成領域にはバンプ２０３が形成されている。各バンプ２０３には接続電極２０７として導電ペーストが塗布される。この導電ペーストの塗布は、印刷方式を採用して行われるのが好ましい。尚、バンプ２０３の代わりに平面電極を設けておいて、該平面電極に接続電極２０７として導電粒子を形成するようにしてもよい。また、配線基板２００上の第２表示領域１１１ｂには、複数の第２配線２０４ｂによって複数の第２形成領域が規定される。
【００７１】
また、図５において、電気光学装置１を製造するに当たり、予め、他の基板５００として例えばガラス基板を用いて、該基板の一表面上に例えばアモルファスシリコン等からなる剥離層５０２を形成すると共に、該剥離層５０２上に複数の単位回路２７５を形成しておく。ここに、該単位回路２７５を基板５００上の一表面の全体に形成してもよいし、部分的に形成してもよい。また、基板５００の大きさは、配線基板２００の大きさに規定されない。よって、基板５００として、配線基板２００を平面的に見た大きさより小さいものを用いてもよいし、大きいものを用いてもよい。
【００７２】
電気光学装置１の製造では、先ず、図６の工程において、複数の接続電極２０７の各々に対して、図５に示す基板５００上の単位回路２７５が部分的に転写される。図６には、配線基板２００上に規定された一つの第１形成領域について示してある。配線基板２００の複数の接続電極２０７が形成された面、及び基板５００の複数の単位回路２７５が形成された面とをアライメントして対向させる。そして、図６中矢印で示す方向、即ち基板５００の複数の単位回路２７５が形成された側と反対側の面より、レーザを照射する。レーザは、基板５００上に形成された単位回路２７５のうち、配線基板２００上に転写させる単位回路２７５に対してのみ照射させる。
【００７３】
図６の工程の後、図７に示すように、配線基板２００上の複数の接続電極２０７の各々に対して単位回路２７５が転写される。即ち、配線基板２００の上面全体に対してでは無く、複数の第１形成領域に対して部分的に、基板５００上に形成された単位回路２７５の一部が転写される。
【００７４】
続いて、図８の工程では、複数の中継配線２０５の形成が、例えば印刷方式を採用して行われる。その後、図９の工程において、配線基板２００上の複数の第１配線２０４ａ及び複数の単位回路２７５、複数の第２配線２０４ｂ、並びに複数の中継配線２０５を埋め込んで、層間絶縁膜２０６の前駆膜２０６ａが形成される。該前駆膜２０６ａは、配線基板２００の上面において第１表示領域１１１ａから第２表示領域１１１ｂに渡って形成される。尚、前駆膜２０６ａの形成は、公知の方法を採用して行うことができる。
【００７５】
図９に示すように、前駆膜２０６ａの表面には、複数の第１配線２０４ａ及び複数の単位回路２７５、複数の第２配線２０４ｂ、並びに複数の中継配線２０５の形状に応じた凸凹が形成されている。続いて、図１０の工程では、前駆膜２０６ａの表面に対して例えばＣＭＰ（化学的機械研磨）処理等の平坦化処理を行って、該前駆膜２０６ａの表面を平坦化して層間絶縁膜２０６を形成する。
【００７６】
その後、平坦化された層間絶縁膜２０６上に、保護膜２１１及びバンク２１０並びに複数の有機ＥＬ素子７２を形成する。これらの構成要素は、層間絶縁膜２０６上に各種材料を公知の方法によって積層させて、パターニングすることによって形成されるのが好ましい。好ましくは、複数の有機ＥＬ素子７２の形成において、複数の陽極２０は、アルミニウムを含む材料を用いて蒸着やスパッタにより層間絶縁膜２０６表面に薄膜を形成した後、該薄膜をフォトリソグラフィ法によりパターニングして形成される。続いて、保護膜２１１及びバンク２１０を形成した後、発光層２１及び正孔注入層２２を例えばインクジェット法等の印刷方式により形成する。
【００７７】
ここに、図１１には、特に第１形成領域の構成について示してある。図１１に示すように、電気光学装置１を製造するに当たり、予め、配線基板２００とは別の基板６００として例えばガラス等の透明基板上に、陰極２３並びに保護膜２１１及びバンク２１０を形成すると共に、該保護膜２１１及びバンク２１０によって規定される複数の領域に夫々有機ＥＬ層として発光層２１及び正孔注入層２２並びに陽極２０を形成しておく。そして、このように複数の有機ＥＬ素子７２が形成された基板６００を、複数の第１配線２０４ａ及び複数の単位回路２７５、図１１中には図示しない複数の第２配線２０４ｂ、並びに複数の中継配線２０５が形成された配線基板２００とアライメントして、封止樹脂６０４により貼り合わせることによって、電気光学装置１の製造を行ってもよい。
【００７８】
尚、図１１では、基板６００上にカソードセパレータ６０２を保護膜２１１及びバンク２１０に対応させて形成しておき、アルミニウム（Ａｌ）を含む材料を用いて蒸着やスパッタにより陽極２０を形成してもよい。この方法によれば、陽極２０をフォトリソグラフィ法を行わずに、パターニングすることが可能となる。
【００７９】
このように、本実施形態によれば、共通の配線基板２００上に、アクティブ駆動される複数の第１画素部７０ａ、及びパッシブ駆動される複数の第２画素部７０ｂを形成することができる。よって、アクティブ駆動が行われる電気光学装置及びパッシブ駆動が行われる電気光学装置を夫々個別に組みこむ場合と比較して、電気光学装置１の製造工程数は膨大とならないため、効率的に該電気光学装置１を製造することが可能となり歩留まりを向上させることも可能となる。
【００８０】
また、図５に示すように一枚の基板５００上に単位回路２７５を形成しておけば、工程数の多いスイッチング用トランジスタ７６及び駆動用トランジスタ７４、並びに保持容量７８等の形成を、電気光学装置の製造工程とは別に行うことが可能となる。更に、図６の工程で説明したように、該基板５００より単位回路２７５を部分的に転写させることによって、該基板５００を用いて複数個の電気光学装置を製造することが可能となるため、より効率的に電気光学装置を製造することが可能となる。
【００８１】
尚、図５において、基板５００上には、単位回路２７５の代わりに、単位回路２７５の一部、例えば「アクティブ素子」としてスイッチング用トランジスタ７６及び駆動用トランジスタ７４の両方若しくは一方を形成すると共に、第１画素部７０ａを構成する他の回路素子や配線を配線基板２００上に形成し、基板５００上に形成したアクティブ素子を配線基板２００上に転写するようにしてもよい。
【００８２】
＜３：電気光学装置の表示例＞
次に、図１及び図２を参照して電気光学装置１の動作について説明すると共に、図１２から図１５を参照して電気光学装置１の表示例について説明する。図１２（ａ）は、電気光学装置１の画像表示領域１１０に表示される表示画像の一例を示す図であって、図１２（ｂ）は、図１２（ａ）の画像表示が行われる画像表示領域１１０の構成に係る説明図である。また、図１３（ａ）は、電気光学装置１の画像表示領域１１０に表示される表示画像の他の例を示す図であって、図１３（ｂ）は、図１３（ａ）の画像表示が行われる画像表示領域１１０の構成に係る説明図である。更に、図１４（ａ）は、電気光学装置１の画像表示領域１１０に表示される表示画像の他の例を示す図であって、図１４（ｂ）は、図１４（ａ）の画像表示が行われる画像表示領域１１０の構成に係る説明図である。加えて、図１５（ａ）は、電気光学装置１の画像表示領域１１０に表示される表示画像の他の例を示す図であって、図１５（ｂ）は、図１５（ａ）の画像表示が行われる画像表示領域１１０の構成に係る説明図である。
【００８３】
電気光学装置１の駆動時、第１表示領域１１１ａにおいて、各第１画素部７０ａはアクティブ駆動され、第２表示領域１１１ｂにおいて、各第２画素部７０ｂはパッシブ駆動される。
【００８４】
図１において、第１データ線駆動回路１５０ａから第１データ線１１４ａに第１画像信号が供給される。また、第１走査線駆動回路１３０ａから第１走査線１１２ａに第１走査信号が書き込まれることにより該第１走査線１１２ａが駆動されると、第１画素部７０ａにおいて、図２（ａ）に示すスイッチング用トランジスタ７６がオン状態になる。スイッチング用トランジスタ７６がオン状態となると、第１データ線１１４ａより第１画像信号が保持容量７８に書き込まれる。この保持容量７８に書き込まれた第１画像信号の電流に応じて、駆動用トランジスタ７４の電気的な導通状態が決まる。そして、駆動用トランジスタ７４のチャネルを介して電流供給線１１７より、保持容量７８に書き込まれた第１画像信号に応じた電流が有機ＥＬ素子７２に供給される。有機ＥＬ素子７２は供給された電流に応じて発光する。
【００８５】
また、図１において、第２データ線駆動回路１５０ｂから第２データ線１１４ｂに第２画像信号が供給される。また、第２走査線駆動回路１３０ｂから第２走査線１１２ｂに第２走査信号が書き込まれることにより該第２走査線１１２ｂが駆動されると、該第２走査線１１２ｂ及び第２画像信号が供給された第２データ線１１４ｂと対応する有機ＥＬ素子７２には、第２画像信号に応じた電流が供給される。有機ＥＬ素子７２は供給された電流に応じて発光する。
【００８６】
ここに、図１において、第１表示領域１１１ａに配列された複数の第１画素部７０ａは夫々、赤色（Ｒ）用、緑色（Ｇ）用、及び青色（Ｂ）用のいずれかとして設けられるのが好ましい。このように構成すれば、第１表示領域１１１ａにおいて、カラー表示を行うことが可能となる。或いは、赤色（Ｒ）用、緑色（Ｇ）用、及び青色（Ｂ）用の３種の第１画素部７０ａをサブ画素として含む一つの画素を点灯させることによって、第１表示領域１１１ａにおいて白黒表示を行ってもよい。この場合には、第１画像信号は赤色（Ｒ）用、緑色（Ｇ）用、及び青色（Ｂ）用のいずれかとして、第１データ線駆動回路１５０ａから出力されることとなる。
【００８７】
また、第２表示領域１１１ｂも第１表示領域１１１ａと同様、複数の第２画素部７０ｂは夫々、赤色（Ｒ）用、緑色（Ｇ）用、及び青色（Ｂ）用のいずれかとして設けられるのが好ましい。この場合にも、第２画像信号は赤色（Ｒ）用、緑色（Ｇ）用、及び青色（Ｂ）用のいずれかとして、第２データ線駆動回路１５０ｂから出力されることとなる。このように構成すれば、第２表示領域１１１ｂにおいても、カラー表示を行うこともできるし、白黒表示を行うことも可能となる。
【００８８】
このように、第１表示領域１１１ａにおける第１画素部７０ａ及び第２表示領域１１１ｂにおける第２画素部７０ｂが駆動されることにより、以下のような画像表示を行うことが可能となる。
【００８９】
図１２（ａ）に示す表示画像について、図１２（ｂ）と対応させてみると、右側に位置する第１領域７００ａにおいてナビゲーション用の画像表示が行われ、該領域を除いた第２領域７００ｂでは車のメータ用の表示等が行われる。この場合、画像表示領域１１０は、第１表示領域１１１ａを第１領域７００ａとし、第２表示領域１１１ｂを第２領域７００ｂとして構成される。即ち、第１領域７００ａには複数の第１画素部７０ａがマトリクス状に配列されると共に、第２領域７００ｂには複数の第２画素部７０ｂがマトリクス状に配列される。
【００９０】
或いは、図１３（ａ）に示す表示画像を画像表示領域１１０に表示させる場合には、図１３（ｂ）に示すように、画像表示領域１１０において、第１表示領域１１１ａ及び第２表示領域１１１ｂを配置させる。即ち、図１３（ａ）に示す表示画像を、図１３（ｂ）と対応させてみると、中央下側に配置された第１領域７０２ａにおいてナビゲーション用の画像表示が行われ、該領域を除いた第２領域７０２ｂでは車のメータ用の表示等が行われる。この場合、画像表示領域１１０において、第１領域７０２ａに第１表示領域１１１ａを配置させ、第２領域７００ｂに第２表示領域１１１ｂを配置させる。
【００９１】
更に、第１表示領域１１１ａ及び第２表示領域１１１ｂの両方で次のように同様の表示を行ってもよい。図１４（ａ）には、車のメータ用の表示等がなされた表示画像を示してある。この場合、図１４（ｂ）に示すように、図１２（ｂ）における、第１領域７００ａにも第２領域７００ｂと同様の単純な表示が行われることとなる。
【００９２】
また、図１５（ａ）には、図１４（ａ）と同様、車のメータ用の表示等がなされた表示画像の他の例を示してある。この場合も、図１５（ｂ）に示すように、図１３（ｂ）における、第１領域７０２ａにも第２領域７０２ｂと同様の単純な表示が行われることとなる。
【００９３】
即ち、図１４（ａ）及び図１５（ａ）に示す表示例によれば、第１表示領域１１１ａ及び第２表示領域１１１ｂの両方で動画等の画像表示ではなく、車のメータ用の表示等の単純な表示のみが行われることとなる。尚、図１５（ｂ）に示すように、第１領域７０２ａから第２領域７０２ｂに跨って表示を行うことも可能である。このように第１領域７０２ａとされる第１表示領域１１１ａ及び第２領域７０２ｂとされる第２表示領域１１１ｂを互いに関連づけて表示を行う場合には、第１走査線駆動回路１３０ａ及び第１データ線駆動回路１５０ａと、第２走査線駆動回路１３０ｂ及び第２データ線駆動回路１５０ｂとの間で互いに同期を図るための信号が、夫々の回路に供給されるのが好ましい。
【００９４】
本実施形態によれば、以上、図１２から図１５に示した表示例に限定されず、第１表示領域１１１ａ及び第２表示領域１１１ｂの両方で動画等の画像表示が行われてもよい。
【００９５】
このように本実施形態では、電気光学装置１の画像表示領域１１０における表示の種類に応じて、第１表示領域１１１ａ及び第２表示領域１１１ｂをデザインすることが可能となる。従って、第１表示領域１１１ａ及び第２表示領域１１１ｂのうち、相対的に表示に要する消費電流が大きくなる一方を必要最低限の大きさに留めて、当該電気光学装置１における消費電流を最適化することができる。
【００９６】
また、第１表示領域１１１ａにおける複数の第１画素部７０ａ、及び第２表示領域１１１ｂにおける複数の第２画素部７０ｂの両方をマトリクス配置することによって、第１表示領域１１１ａ及び第２表示領域１１１ｂの両方において多様な画像表示を行うことが可能となる。
【００９７】
従って、以上説明したような電気光学装置１によれば、画像表示領域１１０において、車の他、航空機や列車等の多様なデザインの車両用インストルメントパネルの画像表示を行うことが可能となる。
【００９８】
＜４：変形例＞
以上説明した本実施形態に係る変形例について説明する。図１に示す電気光学装置１において、画像表示領域１１０を、複数の第１画素部７０ａ及び複数の第２画素部７０ｂが夫々マトリクス配置される領域及びセグメント配置される領域を含むように構成してもよい。
【００９９】
この場合、画像表示領域１１０において、動画を含む多様な画像表示を行う領域をマトリクス配置領域とし、車のメータ用の表示や時刻の表示などのように比較的単純な表示を行う領域をセグメント配置領域とする。
【０１００】
第１表示領域１１１ａは図１に示す構成と同様、マトリクス配置領域とするのが好ましい。また、第２表示領域１１１ｂは、その全域をセグメント配置領域としてもよいし、その一部をマトリクス配置領域としてもよい。
【０１０１】
図１６には、第２画素部をセグメント配置する場合の構成について模式的に示してある。
【０１０２】
例えば、「８」をセグメント配置された第２画素部によって表示する場合、７つの第２画素部８０４ａ、８０４ｂ、８０４ｃ、８０４ｄ、８０４ｅ、８０４ｆ、及び８０４ｇが当該「８」を表示するための位置に配置されて形成される。図１６において、好ましくは、７つの第２画素部８０４ａ、８０４ｂ、８０４ｃ、８０４ｄ、８０４ｅ、８０４ｆ、及び８０４ｇは夫々有機ＥＬ素子を含んでなる。そして、これら７つの有機ＥＬ素子における陽極は、７つの第２画素部８０４ａ、８０４ｂ、８０４ｃ、８０４ｄ、８０４ｅ、８０４ｆ、及び８０４ｇの各々の配置位置に個別に設けられる。また、一つの陰極８０２が７つの有機ＥＬ素子に共通に設けられるのが好ましい。更に、発光層や正孔注入層を含む有機ＥＬ層も、７つの有機ＥＬ素子に共通に形成するようにしてもよい。
【０１０３】
第２画素部をセグメント配置する場合、本発明に係る「第２駆動手段」として、図１に示す第２走査線駆動回路１３０ｂ及び第２データ線駆動回路１５０ｂとは異なる外部回路が用いられる。そして、７つの第２画素部８０４ａ、８０４ｂ、８０４ｃ、８０４ｄ、８０４ｅ、８０４ｆ、及び８０４ｇにおける有機ＥＬ素子を点灯させるために、複数の配線８０５には、図１６には図示しない「第２駆動手段」としての外部回路より出力された第２駆動信号が供給される。
【０１０４】
＜５：電子機器＞
次に、上述した電気光学装置１が各種の電子機器に適用される場合について説明する。
【０１０５】
＜５−１：モバイル型コンピュータ＞
先ず、この電気光学装置を、モバイル型のパーソナルコンピュータに適用した例について説明する。図１７は、このパーソナルコンピュータの構成を示す斜視図である。図において、コンピュータ１２００は、キーボード１２０２を備えた本体部１２０４と、電気光学装置を用いて構成された表示ユニット１２０６とを備えている。
【０１０６】
＜５−２；携帯電話＞
さらに、この電気光学装置を、携帯電話に適用した例について説明する。図１８は、この携帯電話の構成を示す斜視図である。図において、携帯電話１３００は、複数の操作ボタン１３０２とともに、有機ＥＬパネルを有する電気光学装置を備えるものである。尚、図１８中、有機ＥＬパネルには符号１００５を付して示してある。
【０１０７】
この他にも、電気光学装置は、ノート型のパーソナルコンピュータ、ＰＤＡ、テレビ、ビューファインダ、モニタ直視型のビデオテープレコーダ、カーナビゲーション装置、ページャ、電子手帳、電卓、ワードプロセッサ、ワークステーション、ＰＯＳ端末、タッチパネルを備えた装置等に適用することができる。
【０１０８】
本発明は、上述した実施形態に限られるものではなく、請求の範囲及び明細書全体から読み取れる発明の要旨、あるいは思想に反しない範囲で適宜変更可能であり、そのような変更を伴う電気光学装置及びその製造方法、並びにそのような電気光学装置を備えた各種電子機器もまた、本発明の技術的範囲に含まれるものである。
【図面の簡単な説明】
【０１０９】
【図１】電気光学装置の全体構成を示すブロック図である。
【図２】図２（ａ）は、第１画素部の回路構成を示す回路図であって、図２（ｂ）は第２画素部の回路構成を示す回路図である。
【図３】有機ＥＬパネルの断面の構成を示す断面図である。
【図４】配線基板の図３に対応する断面の構成を示す図である。
【図５】単位回路の転写に用いられる他の基板の構成を示す断面図である。
【図６】電気光学装置の製造方法を、順を追って示す製造工程断面図（その１）である。
【図７】転写工程後の配線基板の構成を示す断面図である。
【図８】電気光学装置の製造方法を、順を追って示す製造工程断面図（その２）である。
【図９】電気光学装置の製造方法を、順を追って示す製造工程断面図（その３）である。
【図１０】電気光学装置の製造方法を、順を追って示す製造工程断面図（その４）である。
【図１１】有機ＥＬ素子の形成について説明するための断面図である。
【図１２】図１２（ａ）は表示画像の一例を示す図であって、図１２（ｂ）は、図１２（ａ）の画像表示が行われる画像表示領域の構成に係る説明図である。
【図１３】図１３（ａ）は表示画像の他の例を示す図であって、図１３（ｂ）は、図１３（ａ）の画像表示が行われる画像表示領域の構成に係る説明図である。
【図１４】図１４（ａ）は表示画像の他の例を示す図であって、図１４（ｂ）は、図１４（ａ）の画像表示が行われる画像表示領域の構成に係る説明図である。
【図１５】図１５（ａ）は表示画像の他の例を示す図であって、図１５（ｂ）は、図１５（ａ）の画像表示が行われる画像表示領域の構成に係る説明図である。
【図１６】図１６は、第２画素部をセグメント配置する場合の構成を示す模式図である。
【図１７】電気光学装置を適用した電子機器の一例たるパーソナルコンピュータの構成を示す断面図である。
【図１８】電気光学装置を適用した電子機器の一例たる携帯電話の構成を示す断面図である。
【符号の説明】
【０１１０】
１…電気光学装置
７０ａ…第１画素部
７０ｂ…第２画素部
１００…有機ＥＬパネル
１１０…画像表示領域
１１１ａ…第１表示領域
１１１ｂ…第２表示領域
１３０ａ…第１走査線駆動回路
１３０ｂ…第２走査線駆動回路
１５０ａ…第１データ線駆動回路
１５０ｂ…第２データ線駆動回路
【図１】
2005134755.tif 000003
【図２】
2005134755.tif 000004
【図３】
2005134755.tif 000005
【図４】
2005134755.tif 000006
【図５】
2005134755.tif 000007
【図６】
2005134755.tif 000008
【図７】
2005134755.tif 000009
【図８】
2005134755.tif 000010
【図９】
2005134755.tif 000011
【図１０】
2005134755.tif 000012
【図１１】
2005134755.tif 000013
【図１２】
2005134755.tif 000014
【図１３】
2005134755.tif 000015
【図１４】
2005134755.tif 000016
【図１５】
2005134755.tif 000017
【図１６】
2005134755.tif 000018
【図１７】
2005134755.tif 000019
【図１８】
2005134755.tif 000020